(57)【要約】一体化された状態で夫婦等の御骨を一柱ずつ納骨可能な骨壷であって、御骨を収納する容量を十分確保する。容器の外側に別の容器と結合するための結合手段を有する結合骨壷を提供する。
2004093769.tif 000002
【特許請求の範囲】
【請求項１】
容器の外側に別の容器と結合するための結合手段を有する結合骨壷。
【請求項２】
結合手段は、容器同士を結ぶ少なくとも一つの細紐からなることを特徴とする請求項１記載の結合骨壷。
【請求項３】
結合手段は、容器同士を結ぶ幅広状の少なくとも一つの帯から構成されることを特徴とする請求項１記載の結合骨壷。
【請求項４】
結合手段は、一方の容器に設けられる凹部ともう一方の容器には前記凹部へ嵌合可能に設けられる凸部であることを特徴とする請求項１記載の結合骨壷。
【請求項５】
結合手段は、複数の容器を挿入できる各容器の頭部または底部と略同一の穴部を備える板であることを特徴とする請求項１記載の結合骨壷。
【請求項６】
結合手段は、一方の容器に設けられる少なくとも一つのＮ極磁石ともう一方の容器には少なくとも一つのＳ極磁石であることを特徴とする請求項１記載の結合骨壷。
【請求項７】
結合手段は、一方の容器と他方の容器を積層または組み合わせると新たな立体形状を構成することを特徴とする請求項１記載の結合骨壷。
【請求項８】
凹部と凸部は、そのいずれの中央にも設けられる貫通穴と、貫通穴を遮蔽可能な蓋を内部に備えることを特徴とする請求項４記載の結合骨壷。
【請求項９】
結合手段は、容器に設けられる凸部であって、接合された両凸部を被覆するリングであることを特徴とする請求項１記載の結合骨壷。
【請求項１０】
平坦な円形底面と、前記底面に立設されて円筒状曲面の形成される円筒形状部と、前記円筒形状の頂部に開口される頂部開口部と、前記開口部を遮蔽する蓋部と、前記円筒の側部一方に突出される平坦な板状面と、前記板状面の中央に設けられる長円形の開口部と、前記長円形開口部の周囲にはさらに大きな径で刻設されるパッキン用溝と、前記パッキン用溝に収容されるシリコンゴムと、前記板状面の側方に水平に突設されて平坦面が前記板状面と連続するように形成される蒲鉾型形状の突起部とから構成される結合骨壷であって、互いの前記板状面が対面しながら接合して互いの開口部が連通するように接合されて、前記蒲鉾型形状突起部は互いに平坦面側が接合されて円筒形状を構成し、前記円塔形状を嵌合する円形蓋部で被覆することで一組の結合骨壷とが結合固定される請求項１記載の結合骨壷。
【請求項１１】
平坦な板状面と、前記板状面の端部に板状面と平行に突設される蒲鉾型形状の突起部とから構成される蓋部から構成されて、結合骨壷の開口部と接合されて結合骨壷を単体で活用させることのできる請求項１１記載の結合骨壷。
【請求項１２】
蒲鉾型形状の突起部の先端に磁石を設け、円形蓋部の内側面に反対極の磁石を設けて結合を強化する請求項１１記載の結合骨壷。
【発明の詳細な説明】
【技術分野】  本発明は、亡くなった人の御骨を収める骨壷に関し、特に結びつきの強い者同士が時を隔てて亡くなった場合に、先に収めた骨壷に対して後から亡くなった者の骨壷を結合して収めることのできる結合骨壷に関する。
【背景技術】  従来の骨壷は、一般的に一柱の遺骨を収容するよう設計されており、夫婦、兄弟等の関係にかかわらず、個々に収容している。しかし、夫婦や家族のように生前結びつきが強いもの同士には、別世界に於いても一緒に寄り沿っていたいという精神的な要望がある。特に時代の流れで家族構成が変遷し、子供を持たない夫婦はその繋がりを次世界まで継続させる夢を持つ人々も登場している。さらに、親子の突発的な災難等により親子が同時に亡くなる場合等に、少しでも遺族の心のやすらぎを持つために、遺骨の収納方法についての選択の幅を拡げたいという要望から、夫婦や家族のように生前結びつきが強いもの同士の遺骨を同一の墓に納めるだけでなく骨壷を一体化させる提案がなされている。
例えば、特許文献１（実登３０５５７７０号公報）は、二重構造の骨壷が提案され、外側の骨壷の中を仕切り、さらに、その仕切られた空間に複数の小型の骨壷を収める構成が提案されている。１つの骨壷で複数人の遺骨を納めることができ、狭いスペースの墓や納骨堂にも収納できるものである。
一方、特許文献２（実登３０５９１４１号公報）には、上部に開口部を有する壺本体及び上記開口部を開閉自在に閉じる蓋体からなる骨壺に於いて、壺本体に、その内部を二つに区画する仕切板を抜き差し自在に配した骨壺が提案されている。
この骨壷は、夫婦の他方がその後に亡くなった場合は、残っている他の区画にその御骨を納めた上で、前記仕切板を抜き取り、仮の区画を消滅させることにより、夫婦の御骨を合体させることができるものである。
一方、予め複数の容器が一体化された骨壷については次のような課題を有している。
特許文献２に記載される容器の一体化された骨壷では、２柱の御骨を納骨する区分された空間を有する。
ところで、骨壷への納骨は、火葬場で荼毘に付した後に行なわれるのが一般的である。御遺骸が御骨となった際に納骨することで、その後の移動や保管が容易でもある。
従って、特許文献２の骨壷の場合、一体化された骨壷に納骨されたいと考えている２人の方が略同時期に亡くなり、同一の斎場で近い時刻に荼毘に付されることがあれば、連続して納骨することができる。しかし、実際には、同時に事故等で亡くなる場合をおいてまず有りえない。
そこで、既に夫婦の一方が亡くなり、その一方の御骨が容器の一体化された骨壷に納骨されている場合、他方がその後に亡くなり荼毘に付した後、容器の一体化された骨壷に納骨するまで仮の骨壷に納骨しておく必要が発生する。遺族はこの仮の骨壷を所持して墓所へ移動し、墓所で仮の骨壷から容器の一体化された骨壷へ移し代える必要が生じる。墓所は通常屋外であり、御骨を移し代える設備等は設置されておらず、その移し替えは容易ではない。
一方、仮の骨壷を使用せずに、この容器の一体化された骨壷を使用するためには、荼毘に付する前に骨壷を、墓所より回収する必要がある。通常、骨壷は墓所または納骨堂等に納骨された場合に、取り出されることが困難である。特に人が亡くなられた場合、その親族は葬儀等の手配等で繁忙を極め、墓所または納骨堂から骨壷を荼毘の前に予め取り出すことは困難である。さらに、埋葬場所の移動は、「墓地、埋葬等に関する法律」における「改葬」に相当しで市町村長の許可を必要とする。従って、骨壷を一体化させる場合に、特に２人目以上の骨壷を納骨する際に納骨のための仮の骨壷が必要であった。
次に、特許文献１のように外部容器と内部容器から構成される骨壷の場合に仮の骨壷や、墓所より骨壷を回収する必要性がなくなるという利点を有している。しかしながら、特に昨今の小型墓所や納骨堂では、骨壷等を収容する容積は減少する傾向にあり、２重の容器とすること同一容積の１重の容器と比較して容積が減少するのは紛れもない事実である。
そこで、本発明の目的は、一体化された状態で夫婦等の御骨を一柱ずつ納骨可能であって、容量が十分確保可能な結合骨壷の提供にある。
【発明の開示】
前記の目的を解決するために第１の発明は、容器の外側に別の容器と結合するための結合手段を有する結合骨壷である。このように構成することで、好みのパートナーと永久に寄り添うことができ、また御骨を一柱づつ十分な容量の骨壷を確保することができる。
第２の発明である結合手段は、容器同士を結ぶ少なくとも一つの細紐からなることを特徴とする。結合性と意匠性と同時に満たす骨壷を提供することができる。
第３の発明である結合手段は、容器同士を結ぶ幅広状の少なくとも一つの帯から構成されることを特徴とする。結合性の強度を高めることができる。
第４の発明である結合手段は、一方の容器に設けられる凹部ともう一方の容器には前記凹部へ嵌合可能に設けられる凸部であることを特徴とする。骨壷の他に素材を必要とせずに結合する事ができる。
第５の発明である結合手段は、複数の容器を挿入できる各容器の頭部または底部と略同一の穴部を備える板であることを特徴とする。
第６の発明である結合手段は、一方の容器に設けられる少なくとも一つのＮ極磁石ともう一方の容器には少なくとも一つのＳ極磁石であることを特徴とする。永久に結合させ続けることが可能であり、また加工が容易である。
第７の発明である結合手段は、一方の容器と他方の容器を積層または組み合わせると新たな立体形状を構成することを特徴とする。骨壷の形状を自由なものとすることができる。
第８の発明である凹部と凸部は、そのいずれの中央にも設けられる貫通穴と、貫通穴を遮蔽可能な蓋を内部に備えることを特徴とする。御骨同士を混ぜ合わせることができる。
第９の発明の結合手段は、容器に設けられる凸部であって、接合された両凸部を被覆するリングであることを特徴とする。
第１０の発明に係る平坦な円形底面と、前記底面に立設されて円筒状曲面の形成される円筒形状部と、前記円筒形状の頂部に開口される頂部開口部と、前記開口部を遮蔽する蓋部と、前記円筒の側部一方に突出される平坦な板状面と、前記板状面の中央に設けられる長円形の開口部と、前記長円形開口部の周囲にはさらに大きな径で刻設されるパッキン用溝と、前記パッキン用溝に収容されるシリコンゴムと、前記板状面の側方に水平に突設されて平坦面が前記板状面と連続するように形成される蒲鉾型形状の突起部とから構成される結合骨壷であって、互いの前記板状面が対面しながら接合して互いの開口部が連通するように接合されて、前記蒲鉾型形状突起部は互いに平坦面側が接合されて円筒形状を構成し、前記円塔形状を嵌合する円形蓋部で被覆することで一組の結合骨壷とが結合固定される。
第１１の発明に係る結合骨壷は、平坦な板状面と、前記板状面の端部に板状面と平行に突設される蒲鉾型形状の突起部とから構成される蓋部から構成されて、結合骨壷の開口部と接合されて結合骨壷を単体で活用させることのできる。
第１２の発明に係る結合骨壷は、蒲鉾型形状の突起部の先端に磁石を設け、円形蓋部の内側面に反対極の磁石を設けて結合を強化する。
なお、本発明に係る結合骨壷は、錫から構成されてもよいが、その構成として他の金属、真鍮や鉛、銅、アンチモニー等の金属と混合してもよい。また、その表面に金や銀によるめっき加工をしてもよく、金や銀による貼り付け加工または彫刻とすることもできる。
【図面の簡単な説明】  図１は、本願発明による凸型骨壷と凹部を有する凹型骨壷の構成図、
図２は、本願発明による凸型骨壷と凹部を有する凹型骨壷の結合した際の側面図、
図３は、本願発明による凸型骨壷と凹部を有する凹型骨壷の結合した際の開口部断面図であり、（ａ）接続前、（ｂ）接続後、（ｃ）開口部用蓋部を解放した際の断面図、
図４は、本願発明による凸型骨壷と凹部を有する凹型骨壷遺影側断面図、
図５は、本願発明による凸型骨壷と凹部を有する凹型骨壷の開口部側断面図であり（ａ）遮蔽時と（ｂ）開放時を示し、
図６は、本願発明による二つの骨壷を隣接させて紐等で結合させる結合骨壷の構成図、
図７は、本願発明による二つの骨壷を隣接させて帯またはバンドで結合させる結合骨壷の構成図、
図８は、（ａ）は本発明に係る結合リングであり、（ｂ）結合リングの固定方法の構成図、
図９は、本発明に係る結合骨壷であって、紐で固定される骨壷の構成図、
図１０は、本願発明に係る結合骨壷であって、バンドで固定される骨壷の構成図、
図１１は、本願発明による凸部と凹部を有する結合骨壷の構成図、
図１２は、本願発明による骨壷の下側凸部と組み合わせた際に同一軸となる穴部をそれぞれに設け、この穴部を貫通する連結ピンで固定する結合骨壷の構成図、
図１３は、本願発明による両骨壷を蓋部及び底板部が収納するように両骨壷の底部をあわせた形状構成図、
図１４は、本願発明による骨壷の表面に装着されるＮ極磁石部と、骨壷の表面に装着されるＳ極磁石部から構成される構成図、
図１５は、本願発明に係るに縦方向に結合する結合骨壷の構成図、
図１６は、本願発明に係るボルト形状とナット形状からなる結合骨壷の構成図、
図１７は、本願発明に係る錫製の蓋付き結合骨壷の構成図、
図１８は、本願発明に係る錫製の蓋付き結合骨壷を二組結合させた際の構成図、
図１９は、本願発明に係る錫製の蓋付き結合骨壷であって、蒲鉾型形状の突起部を縦長化を図った骨壷の構成図、図２０は、本願発明に係る錫製の蓋付き結合骨壷を二組結合させた際の構成図、図２１は本願発明に係る錫製の結合骨壷の実施例（ａ）〜（ｆ）の構成図である。
【発明を実施するための最良の形態】  以下、本発明の一実施の形態について添付の図１により説明する。
この実施例の骨壷は凸部を有する凸型骨壷１ａと凹部を有する凹型骨壷１ｂの対となる骨壷から構成される。
凸型骨壷１ａは、上部が開口する円筒型の筒部２ａと上部開口部３ａを開閉自在に閉じる蓋体４ａから構成され、筒部２ａの中央から水平方向に筒状に横筒６ａが凸出し、さらに横筒６ａの径が筒部２ａより一定の距離で減少する段差部８ａを経て凸部１０となる。この凸部１０の内部が開口する開口部１２ａである。
一方、凹型骨壷１ｂは、凸型骨壷１ａ同様に上部が開口する円筒型の筒部２ｂと上部開口部３ｂを開閉自在に閉じる蓋体４ｂから構成され、筒部２ｂの中央から水平方向に筒状に横筒６ｂが突出し、その横筒６ｂの端が端部８ｂであり、その端部８ｂの内側に開口部１２ｂが配置される。ここで、横筒６ｂの内径は凸部１０の外径とほぼ等しい。
図２に示すように凸型骨壷１ａと、凹型骨壷１ｂは凸部１０が横筒６ｂに嵌めこまれて接続される。更に詳細に図３（ａ）に図２の開口部を含む図１のＡＡ’’断面図を示す。
凸型骨壷１ａの筒部２ａには、開口部１２ａを含む横筒６ａが水平方向に突設され、この横筒６ａは段差部８ａが設けられさらには、段差部８ａに連続して外径の小さい凸部１０が突出する。この凸部１０の外周面が９ａとなる。
筒部２ａの内面であって、開口部１２ａの近傍に開口部用蓋部２０ａが設けられる。開口部用蓋部２０ａは、開口部１２ａを被覆するように開口部１２ａの直径より大きな幅を有する。この開口部１２ａの上方に１対の押え板部１４ａが水平方向に相対して開口部用蓋部２０ａを支持するように配置される。開口部用蓋部２０ａは、押え板部１４ａと筒部２ａに挟持されて垂直に移動可能に配置される。開口部用蓋部２０ａと、開口部１２ａとの間にはシール部１８ａが開口部１２ａの取り囲むように配置される。この結果、開口部１２ａは、開口部用蓋部２０ａとシール部１８ａによって密閉される。
次に、この筒部２ａの内面であって、この開口部１２ａと点対称の位置に遺影掲示用押え板部１６ａが、開口部１２ａと略同一の高さに配置される。遺影掲示用押え板部１６ａは、水平方向の１対と底部の支持部から構成され、遺影写真等２２ａが配置される。その遺影の視線が開口部を望むように配置される。
一方、凹型骨壷１ｂの筒部２ｂには、開口部１２ｂを含む横筒６ｂが水平方向に突設され、この横筒６ｂは端部８ｂと横筒内面１３ｂとからなる。この横筒６ｂの内径と、凸部１０の外周面９ａの外径は略同一である。
筒部２ｂの内面であって、開口部１２ｂの近傍に開口部用蓋部２０ｂが設けられる。開口部用蓋部２０ｂは、開口部１２ｂを被覆するように開口部１２ｂの直径より大きな幅を有する。この開口部１２ｂの上方に１対の押え板部１４ｂが水平方向に相対して開口部用蓋部２０ｂを支持するように配置される。開口部用蓋部２０ｂは、押え板部１４ｂと筒部２ｂに挟持されて垂直に移動可能に配置される。開口部用蓋部２０ｂと、開口部１２ｂとの間にはシール部１８ｂが開口部１２ｂの取り囲むように配置される。この結果、開口部１２ｂは、開口部用蓋部２０ｂとシール部１８ｂによって密閉される。
次に、この筒部２ｂの内面であって、この開口部１２ｂと点対称の位置に遺影掲示用押え板部１６ｂが、開口部１２ｂと略同一の高さに配置される。遺影掲示用押え板部１６ｂは、水平方向の１対と底部の支持部から構成され、遺影写真等２２ｂが配置される。その遺影の視線が開口部を望むように配置される。
図４に遺影方向断面図を示し、遺影掲示用押え板部１６ａの配置態様が示される。遺影掲示用押え板部１６ａの内部に遺影が掲示されている様子を示す。これは、凹型骨壷１ｂ筒部２ｂにおいても同一である。
図５（ａ）には、開口部用蓋部２０ａ方向断面図を示し、開口部用蓋部２０ａの配置態様を示す。これは、凹型骨壷１ｂ筒部２ｂにおいても同一である。
続いて、本発明に係る骨壷への納骨方法を図３〜５を用いて説明する。まず、例えば、永年寄り添って生活してきた夫婦等が自分たちの死後も寄り添って埋葬されることを祈念して、本発明に係る結合骨壷を準備するとともに、将来この夫婦の遺族となる夫婦の子供達等へその意思を明確に伝える必要があることは言うまでも無い。この状態で、まず夫婦の一方である夫が亡くなった場合に、妻と子供からなる遺族は、夫の遺骨を遺影２２ａとともに凸型骨壷１ａに納骨し、さらに墓所へ納骨する。
続いて、夫婦のうち残る妻が亡くなると、子供達が妻の遺骨と遺影２２ｂを凹型骨壷１ｂに納骨し、さらに墓所へ納骨することとなる（図３（ａ））。
そこで、墓所において、まず夫の遺骨が納骨された凸型骨壷１ａの凸部１０を妻が納骨された凹型骨壷１ｂの横筒６ｂに挿入する。その上で、凸型骨壷１ａと凹型骨壷１ｂのそれぞれ蓋体４ａ並びに蓋体４ｂを取り除いて結合させる（図３（ｂ））。
この状態で、さらに両方の凸型骨壷１ａと、凹型骨壷１ｂとからさらに開口部用蓋部２０ａ及び、開口部用蓋部２０ｂとを撤去する（図５（ｂ））とで、凸型骨壷１ａと、凹型骨壷１ｂとを貫通する穴部が開放される。この状態で、遺族が一体となった凸型骨壷１ａと、凹型骨壷１ｂと全体を傾けることにより夫の遺骨が、凹型骨壷１ｂへ移動または、妻の遺骨が凸型骨壷１ａへ移動させることが可能となる（図３（ｃ））。また、開口部１２ａと開口部１２ｂとを介して遺影２２ａと遺影２２ｂとが対面することともなる。
その後、合体した状態で墓所等へ納骨することもできるし、再び開口部用蓋部２０ａ及び、開口部用蓋部２０ｂで密封してから墓所へ納骨することもできる。
次に本発明に係る第２の実施例を図６乃至８に示す。
この実施例の骨壷７０は、上部が開口する円筒型の筒部７４と上部開口部７５を開閉自在に閉じる蓋体７６から構成され、筒部７４の中央から水平方向に筒状に横筒７８が突出し、さらに横筒７８の端面部８０に開口する開口部９６が設けられる。この開口部９６は、その内部に栓部８２が密閉可能に挿入される。
横筒７８の端部には、また接合用の結合用リング８６が挿入される。一方、端面部８０に蓋付栓部８８が挿入されて封じられる。
図７に示されるようにこの骨壷７０は、栓部８２と蓋付栓部８８が骨壷７０の開口部９６から外された上で、２つの骨壷７０の端面部８０同士を接合して、さらに結合用リング８６で固定される。詳細を図６のＢ−Ｂ’断面図である図８に示す。
図８（ａ）に示すように、横筒７８の端部外周にはネジ溝９２が刻設され、一方結合用リング８６内面にもネジ溝９４が刻設されて、結合用リング８６が端部外周に回転可能に螺合される。従って、図８（ｂ）に示すように２個の骨壷７０の端面部８０同士を接合することにより結合用リング８６は、両骨壷７０の横筒７８の端部上のネジ溝９４上に螺合されて２個の骨壷７０を接合した状態で固定する。
さらに本発明に係る第３の実施例を図９乃至１６に示す。これらの結合骨壷は、容器同士を隣接させること目的とした骨壷である。
図９の結合骨壷は、二つの骨壷２４ａ，２４ｂを隣接させて紐２６等で結び目２８を設けて結合させるものである。図面では円筒形状であるが、袋形状、だるま形状、雛人形、こけし、本人の顔像等の形状の骨壷を利用することも好適である。また、紐等を骨壷の中央で結ぶ場合や、袋状の骨壷において、各袋の開口部を縛るとともに紐同士を結合させることもできる。
図１０の結合骨壷は、二つの骨壷３０ａ，３０ｂを隣接させて帯３２ａ，３２ｂまたはバンドで結合させるものである。帯等の本数を１本または複数とすることも、また帯の素材を布やゴムまたは、予め骨壷相当の穴部を複数開口した板に骨壷を差し込むこともできる。
図１１の結合骨壷は、２つの骨壷３４ａに凹部３６ａを設け、もう一方の骨壷３４ｂに凸部３８を設けて、この凹部３６ａと凸部３８とが係合するように構成されたものである。この凹凸の形状は図の形状に限定されない。
図１２の結合骨壷は、骨壷４０ａの上側凸部４２と、骨壷４０ｂの下側凸部４６とに組み合わせた際に同一軸となる穴部をそれぞれに設け、この穴部を貫通する連結ピン４８で固定するものである。この凸部の形状はこの形に限定されるものではなく、一方を上段と下段で骨壷から突出する凸部を設け、他方を中段に突出する凸部を設けて連結ピンで固定することもできる。
図１３の結合骨壷は、両骨壷５０ａ、５０ｂを蓋部５４及び底板部５２が収納するように両骨壷５０ａ、５０ｂの底部をあわせた形状とすることで結合させるものである。蓋部５４及び底板部５２を両方含む場合と一方のみと両骨壷５０ａ、５０ｂから構成されることもできる。
図１４の結合骨壷は、骨壷５６ａの表面に装着されるＮ極磁石部５８ａと、骨壷５６ｂの表面に装着されるＳ極磁石部５８ｂから構成され、磁力による引力で結合するものである。磁石の配置として複数個配置する場合と、円筒形の骨壷の場合に、骨壷の全周に磁石を配置することもできる。
以上は、主に横方向に結合する構成であったが、図１５に示すように骨壷６０ａ，６０ｂ，６０ｃのように縦方向に結合することもできる。さらには、図１６に示すようなボルト形状の骨壷６２ａとナット形状の骨壷６２ｂから構成されて、骨壷６２ａはねじ溝を備える軸部を備え、骨壷６２ｂはねじ溝を備えるねじ穴部を有し、骨壷同士が螺合する形状を備えるものである。
次に、第４の本発明に係る結合骨壷の実施例について図１７と図１８を用いて示す。第４の実施例に示される円筒形状骨壷７０は、一般的には金属製であり好適には錫製からなり、平坦な円形の底面と円筒形状の曲面から形成され、その頂部は開口される。この頂部開口部を遮蔽する蓋部８６が開閉自在に設けられる。円筒７２の一面に平坦な板状面７４が突出し、その中央に長円形の開口部７８が設けられる。また、長円形の開口部７８の周囲にはさらに大きな径を有するパッキン用溝７６が長円形状に刻設されて、シリコンゴムからなるパッキンが収容される。板状面７４は、蓋部８６にも板状部８８が設けられる。板状面７４の４端部に蒲鉾型形状の突起部８４ａ、８４ｂ、８４ｃ、８４ｄが板状面７４と平行に水平方向に突設される。突起部８４ａ、８４ｂ、８４ｃ、８４ｄはその形状が、蒲鉾型であり、蒲鉾型の底面が板状面７４と連続となるように配置される。
このように構成される結合骨壷７０に対して、図示されない板状面蓋部が骨壷側の板状面７４と同じサイズの板状面にそれぞれ、４端部に蒲鉾型形状の突起部が板状面と水平方向に突設される。これらの突起部は、突起部８４ａ、８４ｂ、８４ｃ、８４ｄと積層されて円筒形状を構成し、これらの円塔形状を嵌合する円形蓋部８２ａ、８２、８２ｃ、８２ｄで被覆することで結合骨壷７０と板状面蓋部とを結合固定させる。
続いて第４の本発明に係る結合骨壷７２を組み合わせて結合させた状態について、図１８を用いて説明する。一組の結合骨壷７２ａ、７２ｂは、互いの板状面７４が対面し接合するように接続される。このとき、互いの開口部７８ａ，ｂが接合して連通し、また、突起部８４ａ、８４ｂ、８４ｃ、８４ｄは互いに接合されて、それぞれ円筒形状を構成する。これらの円塔形状を嵌合する円形蓋部８２ａ、８２、８２ｃ、８２ｄで被覆することで結合骨壷７２ａと結合骨壷７２ｂとを結合固定させる。このとき、パッキン同士も接合することで密封性が向上する。
このとき、蓋部８６ａ、８６ｂも互いの板状部８８を接合するように配置される。このように構成することで、死後も夫婦仲睦まじく互いの遺骨の交換が可能となる。
さらに、第５の本発明に係る結合骨壷の実施例について図１９と図２０を用いて示す。第５の本発明に係る結合骨壷１００と第４の発明に係る結合骨壷７０とその構成において、特に異なる点について示す。結合骨壷１００も、一般的には金属製であり好適には錫製からなり、平坦な底面と円筒１０２形状の曲面から形成され、その頂部は開口され、円筒１０２の一面に平坦な板状面１０４が突出し、その中央に長円形の開口部１０８が設けられる。板状面１０４の両端部に細長蒲鉾型形状の突起部１１４ａ、１１４ｂが板状面１０４と平行に水平方向に突設される。突起部１１４ａ、１１４ｂはその形状が、蒲鉾型であり、蒲鉾型の底面が板状面１０４と平行となるように配置される。突起部１１４ａ、１１４ｂの先端には端面と同一形状であって厚さ数ｍｍからなる磁石１１５ａ、１１５ｂが貼り付けられる。
これらの突起部は、細長蒲鉾型形状の突起部１１４ａ、１１４ｂと互いに積層されて長円筒形状を構成し、これらの長円塔形状を嵌合する長円形蓋部１２８で被覆することで結合骨壷１００と板状面蓋部とを結合固定させる。この長円形蓋部１２８の蓋部裏側面に磁石１１５ａ、１１５ｂと極性の異なる磁石が貼り付け固定される。この磁石によって、長円形蓋部１２８の固定を強固なものとなる。
同様に第５の本発明に係る結合骨壷１０２を組み合わせて結合させた状態について、図２０を用いて説明する。一組の結合骨壷１０２ａ、１０２ｂは、互いの板状面１０４が接合するように接続される。このとき、互いの開口部１０８ａ，ｂが接合して開口し、また、突起部１１４ａ、１１４ｂは互いに接合されて、それぞれ細長蒲鉾型形状を構成する。これらの細長蒲鉾型形状を嵌合する長円形蓋部１２８ａ、１２８ｂで被覆することで結合骨壷１０２ａと結合骨壷１０２ｂとを結合固定させる。固定部が長円筒形となることで強度が向上し、また部品点数を削減することができる。
続いて、本発明に係る家族等の複数柱の遺骨を納めることのできる結合骨壷の第六の実施例を図２１に示す。図２１の（ａ）は、中心に円形状の空間を設け、周辺に扇形状の空間を設け円形空間と扇状空間との間に開口部を設けた骨壷である。隣接する扇形状の境界線と中心円形の境界線とが垂直に接合する形状からなる。
図２１（ｂ）は、中心円形の境界線の接線方向に外周空間の境界線が設けられている。図２１（ｃ）は、中心空間が正方形であり、その頂点から正方形の対角線方向に境界線が延長される。
図２１（ｄ）は球形の骨壷の下半球部を仕切りで４分割し、球形状の蓋部１５２を被せたものである。図２２（ｅ）は、中心の筒型容器１６２に家族の中心となる人物の御骨を収め、複数のドーナツ型の容器１６４，１６６，１６８，１７０に家族の御骨を納める結合型骨壷である。図２１（ｆ）は、隣接して円形の底部を有し、円筒形状の４つの容器１８２ａ、１８２ｂ、１８２ｃ、１８２ｄの隣り合う２つの容器同士が接合するように配置される結合骨壷である。
なお、本発明は前記実施形態に限定されるものではなく、本発明の目的を達成できる範囲での変形、改良は、本発明に含まれるものである。
例えば、本発明の結合骨壷の素材としては、焼物、スティール、セラミック、鋳物、石、分解性素材等、で構成することができる。
焼物で構成することで、加工が容易であるため製造コストが低廉であり、特徴的な要素が製作しやすく素材に温かみがある。スティールで構成することで、素材が堅固であり、変形に強いという特徴を有する。セラミックで構成することで、素材が堅固であり、変形に強く、さらに熱に対して強度を有する。鋳物で構成することで、加工が容易であり、独特の風格を備える。大理石等の石で作ることで個性が出せ任意の形状に加工が容易である。
本発明によれば、一体化された状態で夫婦等の御骨を一柱ずつ納骨可能であって、容量が十分確保可能となる。
【図１】
2004093769.tif 000003
【図２】
2004093769.tif 000004
【図３】
2004093769.tif 000005
【図４】
2004093769.tif 000006
【図５】
2004093769.tif 000007
【図６】
2004093769.tif 000008
【図７】
2004093769.tif 000009
【図８】
2004093769.tif 000010
【図９】
2004093769.tif 000011
【図１０】
2004093769.tif 000012
【図１１】
2004093769.tif 000013
【図１２】
2004093769.tif 000014
【図１３】
2004093769.tif 000015
【図１４】
2004093769.tif 000016
【図１５】
2004093769.tif 000017
【図１６】
2004093769.tif 000018
【図１７】
2004093769.tif 000019
【図１８】
2004093769.tif 000020
【図１９】
2004093769.tif 000021
【図２０】
2004093769.tif 000022
【図２１】
2004093769.tif 000023
【国際調査報告】
2004093769.tif 000024
2004093769.tif 000025
2004093769.tif 000026
2004093769.tif 000027
2004093769.tif 000028